(57)【要約】【課題】パネル管面温度を抑制させる制御が必要となる表示のみで動作させることができるプラズマディスプレイ装置を提供する。【解決手段】プラズマディスプレイ装置において、領域別表示負荷率検出手段３で、プラズマディスプレイパネルにおける表示画像データ７の表示負荷率を複数の領域別に検出し、表示負荷率分散値演算手段４で、画面全体の表示負荷率と領域別の表示負荷率との差を分散値として分割した領域の数だけ加算していき、サステインパルス数制御手段５で、分散値が第１の値を超えた場合、または第１の値と第１の値より大きい第２の値との範囲内である場合に、表示画像データ７から検出された表示負荷率によって決定された、プラズマディスプレイパネルに印加するサステインパルス数を減少させるように制御する。【選択図】図５
2009036806.tif 000002
【特許請求の範囲】
【請求項１】
２電極間で放電を行う複数の電極群を持つプラズマディスプレイパネルと、前記プラズマディスプレイパネルの電極群に電圧を印加して駆動する駆動回路と、前記駆動回路を制御する制御回路とを有するプラズマディスプレイ装置における前記プラズマディスプレイパネルの駆動方法であって、
前記制御回路は、前記プラズマディスプレイパネルにおける表示画像データの表示負荷率を複数の領域別に検出し、画面全体の表示負荷率と前記領域別の表示負荷率との差を分散値として分割した領域の数だけ加算していき、前記分散値が第１の値を超えた場合、または前記第１の値と前記第１の値より大きい第２の値との範囲内である場合に、前記表示画像データから検出された表示負荷率によって決定された、前記プラズマディスプレイパネルに印加するサステインパルス数を減少させるように制御することを特徴とするプラズマディスプレイパネルの駆動方法。
【請求項２】
請求項１に記載のプラズマディスプレイパネルの駆動方法において、
前記制御回路は、前記分散値に少なくとも一つのサブフィールド表示負荷率をかけることで熱分散値とし、前記熱分散値が第３の値を超えた場合、または前記第３の値と前記第３の値より大きい第４の値との範囲内である場合に、前記表示画像データから検出された表示負荷率によって決定された、前記プラズマディスプレイパネルに印加するサステインパルス数を減少させるように制御することを特徴とするプラズマディスプレイパネルの駆動方法。
【請求項３】
請求項１または２に記載のプラズマディスプレイパネルの駆動方法において、
前記制御回路は、前記分散値が前記第１の値を超えた場合、または前記熱分散値が前記第３の値を超えた状態で、かつ一定範囲の表示負荷率が一定以上の時間表示され続けた場合、前記表示画像データから検出された表示負荷率によって決定された、前記プラズマディスプレイパネルに印加するサステインパルス数を減少させるように制御することを特徴とするプラズマディスプレイパネルの駆動方法。
【請求項４】
請求項１または２に記載のプラズマディスプレイパネルの駆動方法において、
前記制御回路は、前記プラズマディスプレイパネルにおける風量Ｗ１，Ｗ２がＷ１＞Ｗ２の関係を持つ時に、前記表示画像データから検出された表示負荷率により風量がＷ１であるときのサステインパルス数Ｎ１、風量がＷ２であるときのサステインパルス数Ｎ２がＮ１＞Ｎ２の関係を持ち、Ｗ１＞Ｗ２の条件においてＮ１＞Ｎ２となるように制御することを特徴とするプラズマディスプレイパネルの駆動方法。
【請求項５】
請求項１または２に記載のプラズマディスプレイパネルの駆動方法において、
前記制御回路は、前記プラズマディスプレイパネルにおける環境温度Ｔ１，Ｔ２がＴ１＜Ｔ２の関係を持つ時に、前記表示画像データから検出された表示負荷率により環境温度がＴ１であるときのサステインパルス数Ｎ１、環境温度がＴ２であるときのサステインパルス数Ｎ２がＮ１≧Ｎ２の関係を持ち、Ｔ１＜Ｔ２の条件においてＮ１≧Ｎ２となるように制御することを特徴とするプラズマディスプレイパネルの駆動方法。
【請求項６】
２電極間で放電を行う複数の電極群を持つプラズマディスプレイパネルと、前記プラズマディスプレイパネルの電極群に電圧を印加して駆動する駆動回路と、前記駆動回路を制御する制御回路とを有するプラズマディスプレイ装置であって、
前記制御回路は、
前記プラズマディスプレイパネルにおける表示画像データの表示負荷率を検出する表示負荷率検出手段と、
前記プラズマディスプレイパネルに印加するサステインパルス数を演算するサステインパルス数演算手段と、
前記表示画像データの表示負荷率を複数の領域別に検出する領域別表示負荷率検出手段と、
前記表示画像データの画面全体の表示負荷率と前記領域別表示負荷率検出手段で検出された領域別の表示負荷率との差を分散値として分割した領域の数だけ加算していく表示負荷率分散値演算手段と、
前記表示負荷率分散値演算手段で演算された分散値が第１の値を超えた場合、または前記第１の値と前記第１の値より大きい第２の値との範囲内である場合に、前記表示負荷率検出手段により前記表示画像データから検出された表示負荷率によって決定された、前記プラズマディスプレイパネルに印加するサステインパルス数を減少させるように制御するサステインパルス数制御手段とを有することを特徴とするプラズマディスプレイ装置。
【請求項７】
請求項６に記載のプラズマディスプレイ装置において、
前記制御回路は、前記分散値に少なくとも一つのサブフィールド表示負荷率をかけることで熱分散値とする表示熱分散値演算手段を有し、
前記サステインパルス数制御手段は、前記表示熱分散値演算手段による前記熱分散値が第３の値を超えた場合、または前記第３の値と前記第３の値より大きい第４の値との範囲内である場合に、前記表示負荷率検出手段により前記表示画像データから検出された表示負荷率によって決定された、前記プラズマディスプレイパネルに印加するサステインパルス数を減少させるように制御することを特徴とするプラズマディスプレイ装置。
【請求項８】
請求項６または７に記載のプラズマディスプレイ装置において、
前記制御回路は、前記表示画像データにおける一定範囲の表示負荷率をカウントする表示負荷率カウンタを有し、
前記サステインパルス数制御手段は、前記分散値が前記第１の値を超えた場合、または前記熱分散値が前記第３の値を超えた状態で、かつ前記表示負荷率カウンタによって一定範囲の表示負荷率が一定以上の時間表示され続けた場合、前記表示負荷率検出手段により前記表示画像データから検出された表示負荷率によって決定された、前記プラズマディスプレイパネルに印加するサステインパルス数を減少させるように制御することを特徴とするプラズマディスプレイ装置。
【請求項９】
請求項６または７に記載のプラズマディスプレイ装置において、
前記制御回路は、前記プラズマディスプレイパネルにおける風量を演算し、ファンの回転数を決定する風量演算手段を有し、
前記サステインパルス数制御手段は、前記風量演算手段によって演算された前記プラズマディスプレイパネルにおける風量Ｗ１，Ｗ２がＷ１＞Ｗ２の関係を持つ時に、前記表示負荷率検出手段により前記表示画像データから検出された表示負荷率により風量がＷ１であるときのサステインパルス数Ｎ１、風量がＷ２であるときのサステインパルス数Ｎ２がＮ１＞Ｎ２の関係を持ち、Ｗ１＞Ｗ２の条件においてＮ１＞Ｎ２となるように制御することを特徴とするプラズマディスプレイ装置。
【請求項１０】
請求項６または７に記載のプラズマディスプレイ装置において、
前記制御回路は、前記プラズマディスプレイパネルにおける環境温度を検出する環境温度検出手段を有し、
前記サステインパルス数制御手段は、前記環境温度検出手段によって検出された前記プラズマディスプレイパネルにおける環境温度Ｔ１，Ｔ２がＴ１＜Ｔ２の関係を持つ時に、前記表示負荷率検出手段により前記表示画像データから検出された表示負荷率により環境温度がＴ１であるときのサステインパルス数Ｎ１、環境温度がＴ２であるときのサステインパルス数Ｎ２がＮ１≧Ｎ２の関係を持ち、Ｔ１＜Ｔ２の条件においてＮ１≧Ｎ２となるように制御することを特徴とするプラズマディスプレイ装置。
【発明の詳細な説明】
【技術分野】
【０００１】
本発明は、プラズマディスプレイ装置に関し、特に、プラズマディスプレイパネルの熱破壊や焼付を防止する方法に適用して有効な技術に関する。
【背景技術】
【０００２】
本発明者が検討したところによれば、プラズマディスプレイ装置に関して、たとえばプラズマディスプレイパネルの熱破壊や焼付を防止する方法としては、総発光回数を監視し、所定の基準値を越えた状態がある頻度以上発生した場合に総発光回数を減少させ、所定の基準値を下回る状態がある頻度以上発生した場合には総発光回数を増加させる方法が提案されている（特許文献１）。また、上記提案を最適に使用するための方法も提案されている（特許文献２）。
【特許文献１】特開２００２−９９２４２号公報
【特許文献２】特開２００４−４５８８６号公報
【発明の開示】
【発明が解決しようとする課題】
【０００３】
ところで、前記のようなプラズマディスプレイ装置に関して、たとえば上記特許文献１，２の方法では、パネル管面温度が高温となる、制御が必要となる表示以外においても、制御の動作条件を満たしてしまい、制御が動作してしまうことがある。そこで、パネル管面温度が上昇し、制御を動作させなければならない表示と、そうでない表示を切り分ける必要が生じてきている。
【０００４】
そこで、本発明の目的は、パネル管面温度を抑制させる制御が必要となる表示のみで動作させることができるプラズマディスプレイ装置を提供することにある。
【０００５】
本発明の前記ならびにその他の目的と新規な特徴は、本明細書の記述および添付図面から明らかになるであろう。
【課題を解決するための手段】
【０００６】
本願において開示される発明のうち、代表的なものの概要を簡単に説明すれば、次のとおりである。
【０００７】
本発明は、プラズマディスプレイパネルの駆動方法およびプラズマディスプレイ装置に適用され、プラズマディスプレイパネルにおける表示画像データの表示負荷率を複数の領域別に検出し、画面全体の表示負荷率と領域別の表示負荷率との差を分散値として分割した領域の数だけ加算していき、分散値が第１の値を超えた場合、または第１の値と第１の値より大きい第２の値との範囲内である場合に、表示画像データから検出された表示負荷率によって決定された、プラズマディスプレイパネルに印加するサステインパルス数を減少させるように制御することを特徴とするものである。
【０００８】
さらには、前記分散値に少なくとも一つのサブフィールド表示負荷率をかけることで熱分散値とし、熱分散値が第３の値を超えた場合、または第３の値と第３の値より大きい第４の値との範囲内である場合に、表示画像データから検出された表示負荷率によって決定された、プラズマディスプレイパネルに印加するサステインパルス数を減少させるように制御することも特徴とするものである。
【発明の効果】
【０００９】
本願において開示される発明のうち、代表的なものによって得られる効果を簡単に説明すれば以下のとおりである。
【００１０】
本発明によれば、パネル管面温度を抑制させる制御が必要となる表示のみで動作させることができるので、プラズマディスプレイパネルの熱破壊や焼付を防止することが可能となる。
【発明を実施するための最良の形態】
【００１１】
以下、本発明の実施の形態を図面に基づいて詳細に説明する。なお、実施の形態を説明するための全図において、同一の部材には原則として同一の符号を付し、その繰り返しの説明は省略する。
【００１２】
（実施の形態１）
本発明の実施の形態１におけるプラズマディスプレイ装置について、図１〜図７を用いて説明する。
【００１３】
図１は、本実施の形態のプラズマディスプレイ装置に搭載されるプラズマディスプレイパネルの構成の一例を示す図である。
【００１４】
プラズマディスプレイパネルは、前面板１０２、前面板の保護層１０３、Ｘ電極１０４、Ｙ電極１０５、前面板側誘電体層１０６、背面板１０７、蛍光体１０８，１０９，１１０、アドレス電極１１１、隔壁１１２、背面板側誘電体層１１３などから構成される。
【００１５】
前面板１０２には、繰り返し放電を行うＸ電極１０４、Ｙ電極１０５が所定の間隔で平行に配置されている。各Ｘ，Ｙ電極１０４，１０５は片側に隣接する電極と対を成して放電するが、両側に隣接する電極と放電を行う構造もある。また、各Ｘ，Ｙ電極１０４，１０５は交互に配置されているが、放電を行わない側ではＸ電極１０４同士、あるいはＹ電極１０５同士が隣接して配置される構造もある。このＸ，Ｙ電極１０４，１０５の電極群は前面板側誘電体層１０６に覆われており、さらにその表面はＭｇＯ等の保護層１０３に覆われている。
【００１６】
背面板１０７には、Ｘ電極１０４、Ｙ電極１０５とほぼ垂直方向にアドレス電極１１１が配置されており、さらに背面板側誘電体層１１３に覆われている。アドレス電極１１１の両側には隔壁１１２が配置され、列方向のセルを区分けしている。さらにアドレス電極１１１上の背面板側誘電体層１１３および隔壁１１２の側面には紫外線により励起されて赤（Ｒ），緑（Ｇ），青（Ｂ）の可視光を発生する蛍光体１０８，１０９，１１０が塗布されている。
【００１７】
この前面板１０２と背面板１０７を保護層１０３と隔壁１１２が接するように貼り合わせて、Ｎｅ−Ｘｅ等の放電ガスを封入し、プラズマディスプレイパネルを構成している。なお、行方向のセルを区分けする隔壁を持つ構造もある。
【００１８】
図２は、本実施の形態のプラズマディスプレイ装置の構成の一例を示す図である。
【００１９】
プラズマディスプレイ装置は、前述した前面板１０２と背面板１０７を貼り合わせて構成されたプラズマディスプレイパネル１５０と、駆動回路、制御回路１５４などから構成される。
【００２０】
プラズマディスプレイパネル１５０は、Ｘ電極１０４、Ｙ電極１０５の２電極間で放電を行う複数の電極群と、Ｘ電極１０４、Ｙ電極１０５とほぼ垂直方向に配置されたアドレス電極１１１の電極群を持ち、隣接するＸ電極１０４とＹ電極１０５の対によりラインを形成し、アドレス電極１１１が交差して隔壁１１２で区分けされた領域に対応してセルが構成される。Ｒ，Ｇ，Ｂのセルのセットで画素が構成される。
【００２１】
駆動回路は、Ｘ電極１０４の電極群に電圧を印加して駆動するＸ駆動回路１５１、Ｙ電極１０５の電極群に電圧を印加して駆動するＹ駆動回路１５２、アドレス電極１１１の電極群に電圧を印加して駆動するアドレス駆動回路１５３から構成される。プラズマディスプレイパネル１５０のＸ電極１０４、Ｙ電極１０５、アドレス電極１１１はそれぞれ、Ｘ駆動回路１５１、Ｙ駆動回路１５２、アドレス駆動回路１５３に接続されている。なお、アドレス駆動回路１５３は、プラズマディスプレイパネル１５０の上下両側に配置されることもある。
【００２２】
制御回路１５４は、Ｘ駆動回路１５１、Ｙ駆動回路１５２、アドレス駆動回路１５３を制御するために、Ｘ駆動回路１５１、Ｙ駆動回路１５２、アドレス駆動回路１５３にそれぞれ接続されている。この制御回路１５４は、表示画像データなどを含む入力信号１５５が入力され、詳細は後述するが、特に、プラズマディスプレイパネル１５０における表示画像データの表示負荷率を複数の領域別に検出し、画面全体の表示負荷率と領域別の表示負荷率との差を分散値として分割した領域の数だけ加算していき、分散値が第１の値を超えた場合、または第１の値と第１の値より大きい第２の値との範囲内である場合に、表示画像データから検出された表示負荷率によって決定された、プラズマディスプレイパネル１５０に印加するサステインパルス数を減少させるように制御する機能を備えている。
【００２３】
図３は、１フィールドの構成の一例を示す図である。図３では、１画像（１フィールド：１／６０ｓｅｃ）の画を表示する際の駆動方式を示し、アドレス・表示分離方式の一例である。
【００２４】
１フィールドは、複数（本例では１０サブフィールド２０１〜２１０）のサブフィールドにより構成される。各サブフィールドは、リセット期間２１１とアドレス期間２１２と維持期間２１３よりなる。リセット期間２１１では続くアドレス期間２１２の放電を援助する目的でセル内の電荷の制御を行い、アドレス期間２１２では発光させるセルを決定する放電を行う。続く維持期間２１３では繰り返し放電を行い、セルを発光させる。
【００２５】
図４は、駆動波形の一例を示す図である。（ａ）〜（ｃ）はそれぞれリセット期間２１１から維持期間２１３にＸ電極１０４、Ｙ電極１０５、アドレス電極１１１の各電極に印加する駆動波形を示している。（ａ）はＸ電極１０４に印加される電圧波形、（ｂ）はＹ電極１０５に印加される電圧波形、（ｃ）はアドレス電極１１１に印加される電圧波形である。
【００２６】
まず、（ａ）（ｂ）のＸ電極１０４、Ｙ電極１０５には、リセット期間２１１において、全セルに電荷を形成するＹ書き込み鈍波３１１とＸ電圧３０１が印加される。さらに続いて、セル内に形成された電荷を必要量残して消去するＹ補償鈍波３１２とＸ補償電圧３０２が印加される。
【００２７】
次のアドレス期間２１２において印加される電圧波形は、行方向の表示するセルを決める放電を行う奇数行のＹ電極走査パルス３１３と、本放電により壁電荷を形成するための壁電荷形成Ｘ電圧３０３である。このＹ電極走査パルス３１３は行毎にタイミングをずらして印加される。この時、（ｃ）のアドレス電極１１１には、アドレス電極走査パルス３２３が印加される。
【００２８】
続いて、維持期間２１３には、第１維持パルス３０４，３１４、繰り返し維持パルス３０５，３０６，３１５，３１６が印加される。本実施の形態のプラズマディスプレイパネル１５０はＡＣ型のプラズマディスプレイパネルの例であるため、繰り返し維持パルス３０５，３０６，３１５，３１６のような逆極性の放電パルス一組を、便宜上、一回のサステインパルスとみなす。最後に消去パルス３０７，３１７が印加される。
【００２９】
図５は、前述した制御回路１５４の構成の一例を示す図である。
【００３０】
制御回路１５４は、表示負荷率検出手段１、サステインパルス数演算手段２、領域別表示負荷率検出手段３、表示負荷率分散値演算手段４、サステインパルス数制御手段５、サステインパルス数テーブル６などから構成される。この制御回路１５４には、プラズマディスプレイパネル１５０における表示画像データ７が入力され、各手段により検出・演算・制御が行われ、そしてＸ駆動回路１５１およびＹ駆動回路１５２に対してサステイン周波数（ｆＳＵＳ）８が出力される。
【００３１】
この制御回路１５４の各手段は、これに限定されるものではないが、たとえば、表示負荷率検出手段１および領域別表示負荷率検出手段３はハードウェアで実現され、サステインパルス数演算手段２、表示負荷率分散値演算手段４およびサステインパルス数制御手段５はＣＰＵによるソフトウェアで実現される。また、サステインパルス数テーブル６はＣＰＵからアクセス可能なメモリ上に設けられ、表示負荷率とサステインパルス数との対応表である。
【００３２】
表示負荷率検出手段１は、プラズマディスプレイパネル１５０における表示画像データ７を入力として、表示画像データ７の表示負荷率を検出する回路である。この表示負荷率とは、画面のセルの総数に対する点灯すべきセルの割合を示す値である。
【００３３】
サステインパルス数演算手段２は、表示負荷率検出手段１で検出された表示負荷率と、サステインパルス数テーブル６の値を入力として、表示負荷率とサステインパルス数テーブル６の表示負荷率とサステインパルス数との関係に基づいてプラズマディスプレイパネル１５０に印加するサステインパルス数を演算する回路である。それと共に、サステインパルス数演算手段２は、サステインパルス数制御手段５からの制御信号も入力として、表示負荷率とサステインパルス数との関係に基づく演算により決定されたサステインパルス数をサステインパルス数制御手段５から入力される制御信号に基づいて演算する機能も備えている。このサステインパルス数演算手段２で演算されたサステインパルス数は、プラズマディスプレイパネル１５０に印加するサステイン周波数８として出力される。
【００３４】
領域別表示負荷率検出手段３は、表示画像データ７を入力として、表示画像データ７の表示負荷率を複数の領域別に検出する回路である。この複数の領域は、後述する図６を用いて説明する。
【００３５】
表示負荷率分散値演算手段４は、表示負荷率検出手段１で検出された表示画像データ７の画面全体の表示負荷率と、領域別表示負荷率検出手段３で検出された領域別の表示負荷率とを入力として、表示画像データ７の画面全体の表示負荷率と領域別の表示負荷率との差を分散値として分割した領域の数だけ加算していく回路である。
【００３６】
サステインパルス数制御手段５は、表示負荷率分散値演算手段４で演算された分散値を入力として、分散値が第１の値を超えた場合、または第１の値と第１の値より大きい第２の値との範囲内である場合に、表示負荷率検出手段１により表示画像データ７から検出された表示負荷率によって決定された、プラズマディスプレイパネル１５０に印加するサステインパルス数を減少させるように制御する回路である。このサステインパルス数制御手段５からの制御信号は、サステインパルス数演算手段２に入力される。
【００３７】
以上のように構成される制御回路１５４において、プラズマディスプレイパネル１５０の駆動を制御する場合には、以下の手順で行われる。
【００３８】
まず、領域別表示負荷率検出手段３で、プラズマディスプレイパネル１５０における表示画像データ７の表示負荷率を複数の領域別に検出する。この場合に、表示負荷率検出手段１でも、表示画像データ７の画面全体の表示負荷率を検出する。さらに、表示負荷率分散値演算手段４で、表示負荷率検出手段１で検出された表示画像データ７の画面全体の表示負荷率と、領域別表示負荷率検出手段３で検出された領域別の表示負荷率との差を分散値として分割した領域の数だけ加算していく。
【００３９】
そして、サステインパルス数制御手段５で、表示負荷率分散値演算手段４で演算された分散値が第１の値を超えた場合、または第１の値と第２の値との範囲内である場合に、表示負荷率検出手段１により検出された表示負荷率によって決定された、プラズマディスプレイパネル１５０に印加するサステインパルス数を減少させるように制御する。このサステインパルス数制御手段５からの制御信号に基づいて、サステインパルス数演算手段２で、表示負荷率検出手段１により検出された表示負荷率とサステインパルス数テーブル６の表示負荷率とサステインパルス数との関係に基づく演算により決定されたサステインパルス数を、プラズマディスプレイパネル１５０に印加するサステイン周波数８として出力する。
【００４０】
図６は、画面全体の表示負荷率と領域別の表示負荷率との差の分散値の一例を示す図である。図７は、分散値とサステインパルス数との関係の一例を示す図である。図８は、従来技術における、表示負荷率とサステインパルス数、電力との関係、ウインドウ表示負荷率と輝度との関係の一例を示す図である。
【００４１】
従来技術（前述した特許文献１，２）においては、総サステインパルス数が大きな値のままである状態が高い頻度で発生した場合には、高輝度の部分の面積が小さいパターンが頻繁に表示されている可能性があると判断して、総サステインパルス数を減少させる制御を行っている。具体的には、図８（ａ）に示すように、表示負荷率が大きくなった際に電力を所定値以下に保つようにサステインパルス数を減らす制御（破線から実線への制御）が行われている。この際に、図８（ｂ）に示すように、減少したサステインパルス数に応じて輝度も同様に減少する。
【００４２】
この従来技術の制御では、プラズマディスプレイパネル１５０のパネル管面温度が高温となる、制御が必要となる表示以外においても、制御の動作条件を満たしてしまい、制御が動作してしまうことがある。そこで、パネル管面温度が上昇し、制御を動作させなければならない表示と、そうでない表示を切り分ける必要が生じてきており、本実施の形態では、以下に詳細に説明する分散値の概念を適用することで、パネル管面温度を抑制させる制御が必要となる表示のみで動作させることができるようにしている。
【００４３】
図６では、全画面の縦方向をｎ分割し、横方向をｍ分割して、全画面をｎ×ｍのＬ１１１〜Ｌ１ｎｍの領域に分割した例を示す。この場合に、全画面の表示負荷率をＬ１、全画面をｎ×ｍに分割した領域別の表示負荷率をＬ１ａｂ（ａ＝１〜ｎ、ｂ＝１〜ｍ）とすると、分散値は、分割した領域の数だけ加算していき、（１）式で表すことができる。または、簡易的に（２）式で表すこともできる。
【００４４】
【数１】
2009036806.tif 000003
【００４５】
具体的には、パネル管面を複数の領域（Ｌ１１１〜Ｌ１ｎｍ）に分割し、それぞれの領域における表示負荷率（Ｌ１ａｂ（ａ＝１〜ｎ、ｂ＝１〜ｍ））を読み取って、全体の表示負荷率（Ｌ１）との差を分割した領域の分だけ加算していくことにより、表示全体の表示負荷率の偏りの大きさである分散値（（１）式または（２）式）を演算し、この分散値を指標とし、一定のしきい値以上、または一定のしきい値範囲内に分散値が存在する表示のみにサステインパルス数を減少させる制御をかけるようにすることで、負荷集中によってパネル管面が過熱してしまう表示のみで過熱防止の制御を動作させることができる。
【００４６】
本実施の形態では、この分散値に基づいて、図７に示すようにサステインパルス数を減少させる。たとえば、図７（ａ）のように、分散値が一定のしきい値である第１の値（Ｂ１）を超えた場合に、表示負荷率検出手段１により検出された表示負荷率によって決定された、プラズマディスプレイパネル１５０に印加するサステインパルス数をＬ字状に減少させる。または、図７（ｂ）のように、分散値が一定のしきい値範囲内である第１の値（Ｂ１）と第１の値より大きい第２の値（Ｂ２）との範囲内である場合に、表示負荷率によって決定されたサステインパルス数を所定の傾斜で直線的に減少させる。その他にも、曲線的に減少させる場合などが考えられるが、この減少の仕方には種々の変形が可能であることは言うまでもない。
【００４７】
以上により、本実施の形態のプラズマディスプレイ装置によれば、分散値が所定の値を超えた場合、または所定の範囲内である場合に、サステインパルス数を減少させるように制御することで、パネル管面温度を抑制させる制御が必要となる表示のみで動作させることができる。この結果、プラズマディスプレイパネル１５０の熱破壊や焼付を防止することが可能となる。
【００４８】
（実施の形態２）
本発明の実施の形態２におけるプラズマディスプレイ装置について、図９、図１０を用いて説明する。
【００４９】
本実施の形態のプラズマディスプレイ装置において、プラズマディスプレイパネルの構成、プラズマディスプレイ装置の構成、１フィールドの構成、駆動波形は、それぞれ、前記実施の形態１の図１、図２、図３、図４と同様であるので、ここでの説明は省略する。本実施の形態においては、前記実施の形態１と異なる制御回路の構成について以下に説明する。このことは、以降に説明する実施の形態３〜５において同様である。
【００５０】
図９は、本実施の形態のプラズマディスプレイ装置において、制御回路の構成の一例を示す図である。
【００５１】
制御回路１５４は、表示負荷率検出手段１、サステインパルス数演算手段２、領域別表示負荷率検出手段３、ＳＦ（サブフィールド）表示負荷率検出手段１１、表示熱分散値演算手段１２、サステインパルス数制御手段５、サステインパルス数テーブル６などから構成される。この制御回路１５４は、前記実施の形態１の図５に対して、ＳＦ表示負荷率検出手段１１が追加され、表示負荷率分散値演算手段４を表示熱分散値演算手段１２に置き換えており、以下においてこの部分を主に説明する。
【００５２】
ＳＦ表示負荷率検出手段１１は、表示画像データ７を入力として、表示画像データ７のＳＦ表示負荷率を検出する回路であり、たとえばハードウェアで実現される。
【００５３】
表示熱分散値演算手段１２は、表示負荷率検出手段１で検出された表示画像データ７の画面全体の表示負荷率と、領域別表示負荷率検出手段３で検出された領域別の表示負荷率と、ＳＦ表示負荷率検出手段１１で検出されたＳＦ表示負荷率とを入力として、表示画像データ７の画面全体の表示負荷率と領域別の表示負荷率との差を分散値として分割した領域の数だけ加算していき、さらに分散値にＳＦ表示負荷率検出手段１１で検出された少なくとも一つのＳＦ表示負荷率をかけることで熱分散値とする回路であり、たとえばＣＰＵによるソフトウェアで実現される。
【００５４】
サステインパルス数制御手段５は、表示熱分散値演算手段１２で演算された熱分散値を入力として、熱分散値が第３の値を超えた場合、または第３の値と第３の値より大きい第４の値との範囲内である場合に、表示負荷率検出手段１により表示画像データ７から検出された表示負荷率によって決定された、プラズマディスプレイパネル１５０に印加するサステインパルス数を減少させるように制御する回路である。
【００５５】
この制御回路１５４において、プラズマディスプレイパネル１５０の駆動を制御する場合には、ＳＦ表示負荷率検出手段１１で、表示画像データ７のＳＦ表示負荷率を検出する。さらに、表示熱分散値演算手段１２で、表示負荷率検出手段１で検出された表示画像データ７の画面全体の表示負荷率と、領域別表示負荷率検出手段３で検出された領域別の表示負荷率との差を分散値として分割した領域の数だけ加算していき、さらに分散値にＳＦ表示負荷率検出手段１１で検出されたＳＦ表示負荷率をかけることで熱分散値とする。このＳＦ表示負荷率は、たとえば、１番熱いＳＦの表示負荷率としたり、熱い順番で複数のＳＦの表示負荷率とする例などが考えられる。
【００５６】
そして、サステインパルス数制御手段５で、表示熱分散値演算手段１２で演算された熱分散値が第３の値を超えた場合、または第３の値と第４の値との範囲内である場合に、表示負荷率によって決定されたサステインパルス数を減少させるように制御する。このサステインパルス数制御手段５からの制御信号に基づいて、サステインパルス数演算手段２での演算により決定されたサステインパルス数を、プラズマディスプレイパネル１５０に印加するサステイン周波数８として出力する。
【００５７】
図１０は、熱分散値とサステインパルス数との関係の一例を示す図である。
【００５８】
本実施の形態では、この熱分散値に基づいて、図１０に示すようにサステインパルス数を減少させる。たとえば、図１０（ａ）のように、熱分散値が第３の値（Ｂ３）を超えた場合に、表示負荷率によって決定されたサステインパルス数をＬ字状に減少させる。または、図１０（ｂ）のように、熱分散値が第３の値（Ｂ３）と第３の値より大きい第４の値（Ｂ４）との範囲内である場合に、表示負荷率によって決定されたサステインパルス数を所定の傾斜で直線的に減少させる。その他にも、曲線的に減少させる場合などが考えられるが、この減少の仕方には種々の変形が可能であることは言うまでもない。
【００５９】
以上により、本実施の形態のプラズマディスプレイ装置によれば、熱分散値が所定の値を超えた場合、または所定の範囲内である場合に、サステインパルス数を減少させるように制御することで、パネル管面温度を抑制させる制御が必要となる表示のみで動作させることができる。この結果、プラズマディスプレイパネル１５０の熱破壊や焼付を防止することが可能となる。
【００６０】
（実施の形態３）
本発明の実施の形態３におけるプラズマディスプレイ装置について、図１１、図１２を用いて説明する。
【００６１】
図１１は、本実施の形態のプラズマディスプレイ装置において、制御回路の構成の一例を示す図である。
【００６２】
制御回路１５４は、表示負荷率検出手段１、サステインパルス数演算手段２、領域別表示負荷率検出手段３、表示負荷率分散値演算手段４、表示負荷率カウンタ２１、サステインパルス数制御手段５、サステインパルス数テーブル６などから構成される。この制御回路１５４は、前記実施の形態１の図５に対して、表示負荷率カウンタ２１が追加されており、以下においてこの部分を主に説明する。
【００６３】
表示負荷率カウンタ２１は、表示負荷率検出手段１で検出された表示負荷率を入力として、表示画像データ７における一定範囲の表示負荷率をカウントする回路であり、たとえばＣＰＵによるソフトウェアで実現される。
【００６４】
サステインパルス数制御手段５は、表示負荷率分散値演算手段４で演算された分散値と、表示負荷率カウンタ２１でカウントされた一定範囲の表示負荷率とを入力として、分散値が第１の値を超えた場合で、かつ表示負荷率カウンタ２１によって一定範囲の表示負荷率が一定以上の時間表示され続けた場合、表示負荷率検出手段１により表示画像データ７から検出された表示負荷率によって決定された、プラズマディスプレイパネル１５０に印加するサステインパルス数を減少させるように制御する回路である。
【００６５】
この制御回路１５４において、プラズマディスプレイパネル１５０の駆動を制御する場合には、表示負荷率カウンタ２１で、表示画像データ７における一定範囲の表示負荷率をカウントする。そして、サステインパルス数制御手段５で、表示負荷率分散値演算手段４で演算された分散値が第１の値を超えた場合で、かつ表示負荷率カウンタ２１によって一定範囲の表示負荷率が一定以上の時間表示され続けた場合、表示負荷率によって決定されたサステインパルス数を減少させるように制御する。このサステインパルス数制御手段５からの制御信号に基づいて、サステインパルス数演算手段２での演算により決定されたサステインパルス数を、プラズマディスプレイパネル１５０に印加するサステイン周波数８として出力する。
【００６６】
図１２は、分散値を考慮した時間とサステインパルス数との関係の一例を示す図である。
【００６７】
本実施の形態では、この分散値を考慮した時間に基づいて、図１２に示すようにサステインパルス数を減少させる。たとえば、図１２のように、分散値が第１の値（Ｂ１）を超えた場合で、かつ表示負荷率カウンタ２１によって一定範囲の表示負荷率（図８におけるＬ１〜Ｌ２の間）が一定以上の時間（Ｓ１）表示され続けた場合に、表示負荷率によって決定されたサステインパルス数を所定の傾斜で直線的に減少させる。その他にも、曲線的に減少させる場合などが考えられるが、この減少の仕方には種々の変形が可能であることは言うまでもない。
【００６８】
以上により、本実施の形態のプラズマディスプレイ装置によれば、分散値が所定の値を超えた場合で、かつ表示負荷率カウンタ２１によって一定範囲の表示負荷率が一定以上の時間表示され続けた場合に、サステインパルス数を減少させるように制御することで、パネル管面温度を抑制させる制御が必要となる表示のみで動作させることができる。この結果、プラズマディスプレイパネル１５０の熱破壊や焼付を防止することが可能となる。
【００６９】
なお、本実施の形態のように表示負荷率カウンタ２１を有する場合には、分散値に代えて熱分散値を用いる場合についても適用可能である。この場合には、サステインパルス数制御手段５は、図１２に示すように、熱分散値が第３の値（Ｂ３）を超えた状態で、かつ表示負荷率カウンタ２１によって一定範囲の表示負荷率が一定以上の時間（Ｓ１）表示され続けた場合、表示負荷率によって決定されたサステインパルス数を減少させるように制御することができる。
【００７０】
（実施の形態４）
本発明の実施の形態４におけるプラズマディスプレイ装置について、図１３、図１４を用いて説明する。
【００７１】
図１３は、本実施の形態のプラズマディスプレイ装置において、制御回路の構成の一例を示す図である。
【００７２】
制御回路１５４は、表示負荷率検出手段１、サステインパルス数演算手段２、領域別表示負荷率検出手段３、表示負荷率分散値演算手段４、サステインパルス数制御手段５、サステインパルス数テーブル６、風量演算手段３１、ファン３２などから構成される。この制御回路１５４は、前記実施の形態１の図５に対して、風量演算手段３１およびファン３２が追加されており、以下においてこの部分を主に説明する。
【００７３】
風量演算手段３１は、表示負荷率分散値演算手段４で演算された分散値を入力として、プラズマディスプレイパネル１５０における風量を演算する回路であり、たとえばＣＰＵによるソフトウェアで実現される。
【００７４】
ファン３２は、風量演算手段３１によって演算された風量によって回転数が決定されるものである。このファン３２は、プラズマディスプレイパネル１５０の周辺に少なくとも１つ以上配置されている。
【００７５】
サステインパルス数制御手段５は、表示負荷率分散値演算手段４で演算された分散値と、風量演算手段３１で演算された風量とを入力として、風量演算手段３１によって演算されたプラズマディスプレイパネル１５０における風量Ｗ１，Ｗ２がＷ１＞Ｗ２の関係を持つ時に、表示負荷率検出手段１により表示画像データ７から検出された表示負荷率により風量がＷ１であるときのサステインパルス数Ｎ１、風量がＷ２であるときのサステインパルス数Ｎ２がＮ１＞Ｎ２の関係を持ち、Ｗ１＞Ｗ２の条件においてＮ１＞Ｎ２となるように制御する回路である。
【００７６】
この制御回路１５４において、プラズマディスプレイパネル１５０の駆動を制御する場合には、風量演算手段３１で、プラズマディスプレイパネル１５０における風量を演算する。そして、サステインパルス数制御手段５で、風量演算手段３１によって演算された風量Ｗ１，Ｗ２がＷ１＞Ｗ２の関係を持つ時に、表示負荷率により風量がＷ１であるときのサステインパルス数Ｎ１、風量がＷ２であるときのサステインパルス数Ｎ２がＮ１＞Ｎ２の関係を持ち、Ｗ１＞Ｗ２の条件においてＮ１＞Ｎ２となるように制御する。このサステインパルス数制御手段５からの制御信号に基づいて、サステインパルス数演算手段２での演算により決定されたサステインパルス数を、プラズマディスプレイパネル１５０に印加するサステイン周波数８として出力する。
【００７７】
図１４は、分散値を考慮したファンの風量とサステインパルス数との関係の一例を示す図である。
【００７８】
本実施の形態では、図１４に示すように、分散値（分散値＞Ｂ１）を考慮したファン３２の風量に基づいてサステインパルス数を制御する。たとえば、図１４のように、風量がＷ１＞Ｗ２の関係を持ち、サステインパルス数がＮ１＞Ｎ２の関係を持つ時に、Ｗ１＞Ｗ２の条件においてＮ１＞Ｎ２となるように制御する。
【００７９】
以上により、本実施の形態のプラズマディスプレイ装置によれば、ファン３２の風量とサステインパルス数との関係が、Ｗ１＞Ｗ２の条件においてＮ１＞Ｎ２となるように制御することで、パネル管面温度を抑制させる制御が必要となる表示のみで動作させることができる。この結果、プラズマディスプレイパネル１５０の熱破壊や焼付を防止することが可能となる。
【００８０】
なお、本実施の形態のようにファン３２の風量に基づいて制御する場合にも、分散値に代えて熱分散値を用いることも可能である。この場合には、サステインパルス数制御手段５は、図１４に示すように、熱分散値（熱分散値＞Ｂ３）を考慮したファン３２の風量に基づいてサステインパルス数を制御することができる。
【００８１】
（実施の形態５）
本発明の実施の形態５におけるプラズマディスプレイ装置について、図１５、図１６を用いて説明する。
【００８２】
図１５は、本実施の形態のプラズマディスプレイ装置において、制御回路の構成の一例を示す図である。
【００８３】
制御回路１５４は、表示負荷率検出手段１、サステインパルス数演算手段２、領域別表示負荷率検出手段３、表示負荷率分散値演算手段４、サステインパルス数制御手段５、サステインパルス数テーブル６、環境温度検出手段４１などから構成される。この制御回路１５４は、前記実施の形態１の図５に対して、環境温度検出手段４１が追加されており、以下においてこの部分を主に説明する。
【００８４】
環境温度検出手段４１は、プラズマディスプレイパネル１５０における環境温度を検出する回路である。この環境温度検出手段４１としては、たとえば温度センサがプラズマディスプレイパネル１５０の周辺に少なくとも１つ以上配置されている。
【００８５】
サステインパルス数制御手段５は、表示負荷率分散値演算手段４で演算された分散値と、環境温度検出手段４１で検出された環境温度とを入力として、環境温度検出手段４１によって検出されたプラズマディスプレイパネル１５０における環境温度Ｔ１，Ｔ２がＴ１＜Ｔ２の関係を持つ時に、表示負荷率検出手段１により表示画像データ７から検出された表示負荷率により環境温度がＴ１であるときのサステインパルス数Ｎ１、環境温度がＴ２であるときのサステインパルス数Ｎ２がＮ１≧Ｎ２の関係を持ち、Ｔ１＜Ｔ２の条件においてＮ１≧Ｎ２となるように制御する回路である。
【００８６】
この制御回路１５４において、プラズマディスプレイパネル１５０の駆動を制御する場合には、環境温度検出手段４１で、プラズマディスプレイパネル１５０における環境温度を検出する。そして、サステインパルス数制御手段５で、環境温度検出手段４１によって検出された環境温度Ｔ１，Ｔ２がＴ１＜Ｔ２の関係を持つ時に、表示負荷率により環境温度がＴ１であるときのサステインパルス数Ｎ１、環境温度がＴ２であるときのサステインパルス数Ｎ２がＮ１≧Ｎ２の関係を持ち、Ｔ１＜Ｔ２の条件においてＮ１≧Ｎ２となるように制御する。このサステインパルス数制御手段５からの制御信号に基づいて、サステインパルス数演算手段２での演算により決定されたサステインパルス数を、プラズマディスプレイパネル１５０に印加するサステイン周波数８として出力する。
【００８７】
図１６は、分散値を考慮した環境温度とサステインパルス数との関係の一例を示す図である。
【００８８】
本実施の形態では、図１６に示すように、分散値（分散値＞Ｂ１）を考慮した環境温度に基づいてサステインパルス数を制御する。たとえば、図１６のように、環境温度がＴ１＜Ｔ２の関係を持ち、サステインパルス数がＮ１≧Ｎ２の関係を持つ時に、Ｔ１＜Ｔ２の条件においてＮ１≧Ｎ２となるように制御する。
【００８９】
以上により、本実施の形態のプラズマディスプレイ装置によれば、環境温度とサステインパルス数との関係が、Ｔ１＜Ｔ２の条件においてＮ１≧Ｎ２となるように制御することで、パネル管面温度を抑制させる制御が必要となる表示のみで動作させることができる。この結果、プラズマディスプレイパネル１５０の熱破壊や焼付を防止することが可能となる。
【００９０】
なお、本実施の形態のように環境温度に基づいて制御する場合にも、分散値に代えて熱分散値を用いることも可能である。この場合には、サステインパルス数制御手段５は、図１６に示すように、熱分散値（熱分散値＞Ｂ３）を考慮した環境温度に基づいてサステインパルス数を制御することができる。
【００９１】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００９２】
本発明は、プラズマディスプレイ装置に関し、特に、プラズマディスプレイパネルの熱破壊や焼付を防止する方法に利用可能である。
【図面の簡単な説明】
【００９３】
【図１】本発明の実施の形態１のプラズマディスプレイ装置に搭載されるプラズマディスプレイパネルの構成の一例を示す図である。
【図２】本発明の実施の形態１のプラズマディスプレイ装置の構成の一例を示す図である。
【図３】本発明の実施の形態１のプラズマディスプレイ装置において、１フィールドの構成の一例を示す図である。
【図４】本発明の実施の形態１のプラズマディスプレイ装置において、（ａ）〜（ｃ）は駆動波形の一例を示す図である。
【図５】本発明の実施の形態１のプラズマディスプレイ装置において、制御回路の構成の一例を示す図である。
【図６】本発明の実施の形態１のプラズマディスプレイ装置において、画面全体の表示負荷率と領域別の表示負荷率との差の分散値の一例を示す図である。
【図７】本発明の実施の形態１のプラズマディスプレイ装置において、（ａ）（ｂ）は分散値とサステインパルス数との関係の一例を示す図である。
【図８】従来技術において、（ａ）（ｂ）は表示負荷率とサステインパルス数、電力との関係、ウインドウ表示負荷率と輝度との関係の一例を示す図である。
【図９】本発明の実施の形態２のプラズマディスプレイ装置において、制御回路の構成の一例を示す図である。
【図１０】本発明の実施の形態２のプラズマディスプレイ装置において、（ａ）（ｂ）は熱分散値とサステインパルス数との関係の一例を示す図である。
【図１１】本発明の実施の形態３のプラズマディスプレイ装置において、制御回路の構成の一例を示す図である。
【図１２】本発明の実施の形態３のプラズマディスプレイ装置において、分散値を考慮した時間とサステインパルス数との関係の一例を示す図である。
【図１３】本発明の実施の形態４のプラズマディスプレイ装置において、制御回路の構成の一例を示す図である。
【図１４】本発明の実施の形態４のプラズマディスプレイ装置において、分散値を考慮したファンの風量とサステインパルス数との関係の一例を示す図である。
【図１５】本発明の実施の形態５のプラズマディスプレイ装置において、制御回路の構成の一例を示す図である。
【図１６】本発明の実施の形態５のプラズマディスプレイ装置において、分散値を考慮した環境温度とサステインパルス数との関係の一例を示す図である。
【符号の説明】
【００９４】
１…表示負荷率検出手段、２…サステインパルス数演算手段、３…領域別表示負荷率検出手段、４…表示負荷率分散値演算手段、５…サステインパルス数制御手段、６…サステインパルス数テーブル、７…表示画像データ、８…サステイン周波数、
１１…ＳＦ表示負荷率検出手段、１２…表示熱分散値演算手段、
２１…表示負荷率カウンタ、
３１…風量演算手段、３２…ファン、
４１…環境温度検出手段、
１０２…前面板、１０３…保護層、１０４…Ｘ電極、１０５…Ｙ電極、１０６…前面板側誘電体層、１０７…背面板、１０８〜１１０…蛍光体、１１１…アドレス電極、１１２…隔壁、１１３…背面板側誘電体層、
１５０…プラズマディスプレイパネル、１５１…Ｘ駆動回路、１５２…Ｙ駆動回路、１５３…アドレス駆動回路、１５４…制御回路、１５５…入力信号、
２０１〜２１０…サブフィールド、２１１…リセット期間、２１２…アドレス期間、２１３…維持期間、
３０１…Ｘ電圧、３０２…Ｘ補償電圧、３０３…壁電荷形成Ｘ電圧、３０４，３１４…第１維持パルス、３０５，３０６，３１５，３１６…繰り返し維持パルス、３０７，３１７…消去パルス、３１１…Ｙ書き込み鈍波、３１２…Ｙ補償鈍波、３１３…Ｙ電極走査パルス、３２３…アドレス電極走査パルス。
【図１】
2009036806.tif 000004
【図２】
2009036806.tif 000005
【図３】
2009036806.tif 000006
【図４】
2009036806.tif 000007
【図５】
2009036806.tif 000008
【図６】
2009036806.tif 000009
【図７】
2009036806.tif 000010
【図８】
2009036806.tif 000011
【図９】
2009036806.tif 000012
【図１０】
2009036806.tif 000013
【図１１】
2009036806.tif 000014
【図１２】
2009036806.tif 000015
【図１３】
2009036806.tif 000016
【図１４】
2009036806.tif 000017
【図１５】
2009036806.tif 000018
【図１６】
2009036806.tif 000019